(57)【要約】【課題】インクが乾き難い写真などの画像を記録用紙に記録するときに、インク量を削減する。【解決手段】情報処理装置であって、記録命令出力部と、被記録物の両面に記録内容を記録する旨の設定を受け付ける設定受付部と、複数ページに記録内容を記録すべき旨の要求を受け付けた場合、被記録物の両面に記録内容を記録する旨の設定が受け付けられているときに、被記録物のおもて面に記録する記録内容に画像が含まれているか否かを判断する画像有無判断部と、被記録物のおもて面に記録する記録内容に含まれる画像の被記録物上の面積を算出する画像面積算出部とを備え、記録命令出力部は、画像面積算出部により算出された面積が大きいほど、被記録物のおもて面における、記録内容から算出される被記録物に使用されるインクの量に対する削減すべきインクの量の比率であるインク削減率を高くする記録命令を記録装置に出力する。【選択図】図３
2008123369.tif 000002
【特許請求の範囲】
【請求項１】
インクにより記録内容を被記録物に記録する記録装置に記録命令を出力する記録命令出力部と、
前記被記録物の両面に前記記録内容を記録する旨の設定を受け付ける設定受付部と、
前記被記録物の複数ページに前記記録内容を記録すべき旨の要求を外部から受け付けた場合、前記設定受付部により前記被記録物の両面に前記記録内容を記録する旨の設定が受け付けられているときに、前記被記録物のおもて面に記録する前記記録内容に画像が含まれているか否かを判断する画像有無判断部と、
前記画像有無判断部により前記被記録物のおもて面に記録する前記記録内容に画像が含まれていると判断された場合に、前記被記録物のおもて面に記録する前記記録内容に含まれる画像の前記被記録物上の面積を算出する画像面積算出部と
を備える情報処理装置であって、
前記記録命令出力部は、前記画像面積算出部により算出された前記面積が大きいほど、前記被記録物のおもて面における、前記記録内容から算出される前記被記録物に使用される前記インクの量に対する削減すべき前記インクの量の比率であるインク削減率を高くする前記記録命令を前記記録装置に出力する情報処理装置。
【請求項２】
前記記録命令出力部は、前記画像面積算出部により算出された前記面積が大きいほど、前記被記録物のおもて面に使用した前記インクを乾燥させる乾燥時間を長くする前記記録命令を前記記録装置に出力する請求項１に記載の情報処理装置。
【請求項３】
前記情報処理装置は、前記画像有無判断部により前記被記録物のおもて面に記録する前記記録内容に画像が含まれていると判断された場合に、前記被記録物のおもて面に記録する前記記録内容に含まれる画像の前記被記録物上の位置を取得する画像位置取得部をさらに備え、
前記記録命令出力部は、前記画像位置取得部により取得された前記位置がより後に記録される位置であるほど、前記被記録物のおもて面の前記インク削減率を高くする前記記録命令を前記記録装置に出力する請求項１に記載の情報処理装置。
【請求項４】
前記記録命令出力部は、前記画像位置取得部により取得された前記位置がより後に記録される位置であるほど、前記被記録物のおもて面に使用した前記インクを乾燥させる乾燥時間を長くする前記記録命令を前記記録装置に出力する請求項３に記載の情報処理装置。
【請求項５】
前記設定受付部は、前記記録内容を記録する解像度の選択の設定をさらに受け付け、
前記記録命令出力部は、前記画像有無判断部により前記被記録物のおもて面に記録する前記記録内容に画像が含まれていると判断された場合に、前記設定受付部により受け付けられている前記解像度がより高いほど、前記被記録物のおもて面の前記インク削減率を高くする前記記録命令を前記記録装置に出力する請求項１に記載の情報処理装置。
【請求項６】
前記記録命令出力部は、前記画像有無判断部により前記被記録物のおもて面に記録する前記記録内容に画像が含まれていると判断された場合に、前記設定受付部により受け付けられている前記解像度がより高いほど、前記被記録物のおもて面に使用した前記インクを乾燥させる乾燥時間を長くする前記記録命令を前記記録装置に出力する請求項５に記載の情報処理装置。
【請求項７】
前記設定受付部は、前記記録内容を記録する前記被記録物の種類の選択の設定をさらに受け付け、
前記記録命令出力部は、前記画像有無判断部により前記被記録物のおもて面に記録する前記記録内容に画像が含まれていると判断された場合に、前記設定受付部により受け付けられている前記被記録物の種類に応じて、異なる前記被記録物のおもて面の前記インク削減率を指定した前記記録命令を前記記録装置に出力する請求項１に記載の情報処理装置。
【請求項８】
前記記録命令出力部は、前記画像有無判断部により前記被記録物のおもて面に記録する前記記録内容に画像が含まれていると判断された場合に、前記設定受付部により受け付けられている前記被記録物の種類に応じて異なる、前記被記録物のおもて面に使用した前記インクを乾燥させる乾燥時間を指定した前記記録命令を前記記録装置に出力する請求項７に記載の情報処理装置。
【請求項９】
前記情報処理装置は、前記画像有無判断部により前記被記録物のおもて面に記録する前記記録内容に画像が含まれていると判断された場合に、前記被記録物のおもて面に記録する前記記録内容に含まれる画像の印刷デューティを算出する印刷デューティ算出部をさらに備え、
前記記録命令出力部は、前記印刷デューティ算出部により算出された前記印刷デューティが大きいほど、前記被記録物のおもて面の前記インク削減率を高くする前記記録命令を前記記録装置に出力する請求項１に記載の情報処理装置。
【請求項１０】
前記記録命令出力部は、前記印刷デューティ算出部により算出された前記印刷デューティが大きいほど、前記被記録物のおもて面に使用した前記インクを乾燥させる乾燥時間を長くする前記記録命令を前記記録装置に出力する請求項９に記載の情報処理装置。
【請求項１１】
前記画像有無判断部は、前記被記録物の複数ページに前記記録内容を記録すべき旨の要求を外部から受け付けた場合、前記設定受付部により前記被記録物の両面に前記記録内容を記録する旨の設定が受け付けられているときに、前記被記録物の一方の面に記録する前記記録内容、および、前記被記録物の他方の面に記録する前記記録内容にそれぞれ画像が含まれているか否かを判断し、
前記画像面積算出部は、前記画像有無判断部により前記被記録物の一方の面に記録する前記記録内容、および、前記被記録物の他方の面に記録する前記記録内容のそれぞれに画像が含まれていると判断された場合に、それぞれの面に記録する前記記録内容に含まれるそれぞれの画像の前記被記録物上の面積を算出し、
前記記録命令出力部は、前記画像面積算出部により算出された前記面積がより小さい画像を含む前記記録内容を前記被記録物のおもて面に記録すべき旨の前記記録命令、および、おもて面に記録すべき前記記録内容に含まれる前記画像の前記面積がより大きいほど、前記被記録物のおもて面の前記インク削減率を高くする前記記録命令を前記記録装置に出力する請求項１に記載の情報処理装置。
【請求項１２】
前記記録命令出力部は、前記画像有無判断部により前記被記録物の一方の面に記録する前記記録内容に前記画像が含まれ、前記被記録物の他方の面に記録する前記記録内容に前記画像が含まれていないと判断された場合に、前記画像が含まれていないと判断された前記記録内容を前記記録物のおもて面に記録すべき旨の前記記録命令を前記記録装置に出力する請求項１１に記載の情報処理装置。
【請求項１３】
前記記録命令出力部により出力される前記インク削減率を高くする前記記録命令は、前記インクを吐出する数を前記記録装置に削減させる記録命令である請求項１に記載の情報処理装置。
【請求項１４】
前記記録命令出力部により出力される前記インク削減率を高くする前記記録命令は、１度に吐出する前記インクの量を前記記録装置に削減させる記録命令である請求項１に記載の情報処理装置。
【請求項１５】
インクにより記録内容を被記録物に記録する記録装置に記録命令を出力する記録命令出力手順と、
前記被記録物の両面に前記記録内容を記録する旨の設定を受け付ける設定受付手順と、
前記被記録物の複数ページに前記記録内容を記録すべき旨の要求を外部から受け付けた場合、前記設定受付手順により前記被記録物の両面に前記記録内容を記録する旨の設定が受け付けられているときに、前記被記録物のおもて面に記録する前記記録内容に画像が含まれているか否かを判断する画像有無判断手順と、
前記画像有無判断手順により前記被記録物のおもて面に記録する前記記録内容に画像が含まれていると判断された場合に、前記被記録物のおもて面に記録する前記記録内容に含まれる画像の前記被記録物上の面積を算出する画像面積算出手順と
を備える情報処理方法であって、
前記記録命令出力手順は、前記画像面積算出手順により算出された前記面積が大きいほど、前記被記録物のおもて面における、前記記録内容から算出される前記被記録物に使用される前記インクの量に対する削減すべき前記インクの量の比率であるインク削減率を高くする前記記録命令を前記記録装置に出力する情報処理方法。
【請求項１６】
情報処理装置を制御するプログラムであって、前記情報処理装置に、
インクにより記録内容を被記録物に記録する記録装置に記録命令を出力する記録命令出力手順、
前記被記録物の両面に前記記録内容を記録する旨の設定を受け付ける設定受付手順、
前記被記録物の複数ページに前記記録内容を記録すべき旨の要求を外部から受け付けた場合、前記設定受付手順により前記被記録物の両面に前記記録内容を記録する旨の設定が受け付けられているときに、前記被記録物のおもて面に記録する前記記録内容に画像が含まれているか否かを判断する画像有無判断手順、および、
前記画像有無判断手順により前記被記録物のおもて面に記録する前記記録内容に画像が含まれていると判断された場合に、前記被記録物のおもて面に記録する前記記録内容に含まれる画像の前記被記録物上の面積を算出する画像面積算出手順
を実行させ、
前記記録命令出力手順は、前記画像面積算出手順により算出された前記面積が大きいほど、前記被記録物のおもて面における、前記記録内容から算出される前記被記録物に使用される前記インクの量に対する削減すべき前記インクの量の比率であるインク削減率を高くする前記記録命令を前記記録装置に出力するプログラム。
【請求項１７】
インクにより記録内容を被記録物に記録する記録ヘッドを制御する記録ヘッド制御部に記録命令を出力する記録命令出力部と、
前記被記録物の両面に前記記録内容を記録する旨の設定を受け付ける設定受付部と、
前記被記録物の複数ページに前記記録内容を記録すべき旨の要求を外部から受け付けた場合、前記設定受付部により前記被記録物の両面に前記記録内容を記録する旨の設定が受け付けられているときに、前記被記録物のおもて面に記録する前記記録内容に画像が含まれているか否かを判断する画像有無判断部と、
前記画像有無判断部により前記被記録物のおもて面に記録する前記記録内容に画像が含まれていると判断された場合に、前記被記録物のおもて面に記録する前記記録内容に含まれる画像の前記被記録物上の面積を算出する画像面積算出部と
を備える記録装置であって、
前記記録命令出力部は、前記画像面積算出部により算出された前記面積が大きいほど、前記被記録物のおもて面における、前記記録内容から算出される前記被記録物に使用される前記インクの量に対する削減すべき前記インクの量の比率であるインク削減率を高くする前記記録命令を前記記録ヘッド制御部に出力する記録装置。
【請求項１８】
インクにより記録内容を被記録物に記録する記録ヘッドを制御する記録ヘッド制御部に記録命令を出力する記録命令出力手順と、
前記被記録物の両面に前記記録内容を記録する旨の設定を受け付ける設定受付手順と、
前記被記録物の複数ページに前記記録内容を記録すべき旨の要求を外部から受け付けた場合、前記設定受付手順により前記被記録物の両面に前記記録内容を記録する旨の設定が受け付けられているときに、前記被記録物のおもて面に記録する前記記録内容に画像が含まれているか否かを判断する画像有無判断手順と、
前記画像有無判断手順により前記被記録物のおもて面に記録する前記記録内容に画像が含まれていると判断された場合に、前記被記録物のおもて面に記録する前記記録内容に含まれる画像の前記被記録物上の面積を算出する画像面積算出手順と
を備える情報処理方法であって、
前記記録命令出力手順は、前記画像面積算出手順により算出された前記面積が大きいほど、前記被記録物のおもて面における、前記記録内容から算出される前記被記録物に使用される前記インクの量に対する削減すべき前記インクの量の比率であるインク削減率を高くする前記記録命令を前記記録ヘッド制御部に出力する記録方法。
【請求項１９】
記録装置を制御するプログラムであって、前記記録装置に、
インクにより記録内容を被記録物に記録する記録ヘッドを制御する記録ヘッド制御部に記録命令を出力する記録命令出力手順、
前記被記録物の両面に前記記録内容を記録する旨の設定を受け付ける設定受付手順、
前記被記録物の複数ページに前記記録内容を記録すべき旨の要求を外部から受け付けた場合、前記設定受付手順により前記被記録物の両面に前記記録内容を記録する旨の設定が受け付けられているときに、前記被記録物のおもて面に記録する前記記録内容に画像が含まれているか否かを判断する画像有無判断手順、および、
前記画像有無判断手順により前記被記録物のおもて面に記録する前記記録内容に画像が含まれていると判断された場合に、前記被記録物のおもて面に記録する前記記録内容に含まれる画像の前記被記録物上の面積を算出する画像面積算出手順
を実行させ、
前記記録命令出力手順は、前記画像面積算出手順により算出された前記面積が大きいほど、前記被記録物のおもて面における、前記記録内容から算出される前記被記録物に使用される前記インクの量に対する削減すべき前記インクの量の比率であるインク削減率を高くする前記記録命令を前記記録ヘッド制御部に出力するプログラム。
【発明の詳細な説明】
【技術分野】
【０００１】
本発明は、情報処理装置、記録装置、情報処理方法およびプログラムに関する。特に、本発明は、被記録物のおもて面に使用するインクの量がより少ない記録命令を記録装置に出力する情報処理装置、記録装置、情報処理方法およびプログラムに関する。
【背景技術】
【０００２】
両面印刷において、片面印刷と両面印刷とで単位領域あたりの最大ドット数を異ならせるインクジェット記録装置が知られている（例えば、特許文献１参照。）。また、両面印刷において、インクの乾燥時間に基づいて、表面に印刷する面の決定する印刷方法が知られている（例えば、特許文献２参照）。
【特許文献１】特開２００２−３６５２８号公報
【特許文献２】特開２００５−１２５１号公報
【発明の開示】
【発明が解決しようとする課題】
【０００３】
特許文献１に記載のインクジェット記録装置は、表面に吐出させるインク量が元々少ないときであっても表面の最大ドット数が片面印刷時よりも小さくなるという課題がある。また、特許文献２に記載の印刷方法は、両面のインクの乾燥時間がともに長い場合には、印刷時間を短くすることができないという課題がある。
【課題を解決するための手段】
【０００４】
上記課題を解決するために、本発明の第１の形態においては、情報処理装置であって、インクにより記録内容を被記録物に記録する記録装置に記録命令を出力する記録命令出力部と、被記録物の両面に記録内容を記録する旨の設定を受け付ける設定受付部と、被記録物の複数ページに記録内容を記録すべき旨の要求を外部から受け付けた場合、設定受付部により被記録物の両面に記録内容を記録する旨の設定が受け付けられているときに、被記録物のおもて面に記録する記録内容に画像が含まれているか否かを判断する画像有無判断部と、画像有無判断部により被記録物のおもて面に記録する記録内容に画像が含まれていると判断された場合に、被記録物のおもて面に記録する記録内容に含まれる画像の被記録物上の面積を算出する画像面積算出部とを備え、記録命令出力部は、画像面積算出部により算出された面積が大きいほど、被記録物のおもて面における、記録内容から算出される被記録物に使用されるインクの量に対する削減すべきインクの量の比率であるインク削減率を高くする記録命令を記録装置に出力する。これにより、インクが乾き難い、写真などの画像を記録用紙に記録する場合に、インク量を削減することができる。また、よりインクが乾き難い、画像の面積が大きい画像ほど、インク量を削減することができる。
【０００５】
記録命令出力部は、画像面積算出部により算出された面積が大きいほど、被記録物のおもて面に使用したインクを乾燥させる乾燥時間を長くする記録命令を記録装置に出力してもよい。これにより、画像の面積が大きい画像ほど、より長い乾燥時間を確保することができる。
【０００６】
情報処理装置は、画像有無判断部により被記録物のおもて面に記録する記録内容に画像が含まれていると判断された場合に、被記録物のおもて面に記録する記録内容に含まれる画像の被記録物上の位置を取得する画像位置取得部をさらに備え、記録命令出力部は、画像位置取得部により取得された位置がより後に記録される位置であるほど、被記録物のおもて面のインク削減率を高くする記録命令を記録装置に出力してもよい。これにより、インクがより乾き難い、記録用紙のより下部に画像を記録するほど、よりインク量を削減することができる。
【０００７】
記録命令出力部は、画像位置取得部により取得された位置がより後に記録される位置であるほど、被記録物のおもて面に使用したインクを乾燥させる乾燥時間を長くする記録命令を記録装置に出力してもよい。これにより、記録用紙のより下部に画像を記録するほど、より長い乾燥時間を確保することができる。
【０００８】
設定受付部は、記録内容を記録する解像度の選択の設定をさらに受け付け、記録命令出力部は、画像有無判断部により被記録物のおもて面に記録する記録内容に画像が含まれていると判断された場合に、設定受付部により受け付けられている解像度がより高いほど、被記録物のおもて面のインク削減率を高くする記録命令を記録装置に出力してもよい。これにより、インクがより乾き難い、より高い解像度により記録するほど、よりインク量を削減することができる。
【０００９】
記録命令出力部は、画像有無判断部により被記録物のおもて面に記録する記録内容に画像が含まれていると判断された場合に、設定受付部により受け付けられている解像度がより高いほど、被記録物のおもて面に使用したインクを乾燥させる乾燥時間を長くする記録命令を記録装置に出力してもよい。これにより、より高い解像度により記録するほど、より長い乾燥時間を確保することができる。
【００１０】
設定受付部は、記録内容を記録する被記録物の種類の選択の設定をさらに受け付け、記録命令出力部は、画像有無判断部により被記録物のおもて面に記録する記録内容に画像が含まれていると判断された場合に、設定受付部により受け付けられている被記録物の種類に応じて、異なる被記録物のおもて面のインク削減率を指定した記録命令を記録装置に出力してもよい。これにより、インクがより乾き難い記録用紙に記録するほど、よりインク量を削減することができる。
【００１１】
記録命令出力部は、画像有無判断部により被記録物のおもて面に記録する記録内容に画像が含まれていると判断された場合に、設定受付部により受け付けられている被記録物の種類に応じて異なる、被記録物のおもて面に使用したインクを乾燥させる乾燥時間を指定した記録命令を記録装置に出力してもよい。これにより、インクがより乾き難い記録用紙に記録するほど、より長い乾燥時間を確保することができる。
【００１２】
情報処理装置は、画像有無判断部により被記録物のおもて面に記録する記録内容に画像が含まれていると判断された場合に、被記録物のおもて面に記録する記録内容に含まれる画像の印刷デューティを算出する印刷デューティ算出部をさらに備え、記録命令出力部は、印刷デューティ算出部により算出された印刷デューティが大きいほど、被記録物のおもて面のインク削減率を高くする記録命令を記録装置に出力してもよい。これにより、インクがより乾き難い、より大きな印刷デューティの画像を記録するほど、よりインク量を削減することができる。
【００１３】
記録命令出力部は、印刷デューティ算出部により算出された印刷デューティが大きいほど、被記録物のおもて面に使用したインクを乾燥させる乾燥時間を長くする記録命令を記録装置に出力してもよい。これにより、より大きな印刷デューティの画像を記録するほど、より長い乾燥時間を確保することができる。
【００１４】
画像有無判断部は、被記録物の複数ページに記録内容を記録すべき旨の要求を外部から受け付けた場合、設定受付部により被記録物の両面に記録内容を記録する旨の設定が受け付けられているときに、被記録物の一方の面に記録する記録内容、および、被記録物の他方の面に記録する記録内容にそれぞれ画像が含まれているか否かを判断し、画像面積算出部は、画像有無判断部により被記録物の一方の面に記録する記録内容、および、被記録物の他方の面に記録する記録内容のそれぞれに画像が含まれていると判断された場合に、それぞれの面に記録する記録内容に含まれるそれぞれの画像の被記録物上の面積を算出し、記録命令出力部は、画像面積算出部により算出された面積がより小さい画像を含む記録内容を被記録物のおもて面に記録すべき旨の記録命令、および、おもて面に記録すべき記録内容に含まれる画像の面積がより大きいほど、被記録物のおもて面のインク削減率を高くする記録命令を記録装置に出力してもよい。これにより、インクがより乾き難いページを選択し、選択したページにおいて画像の面積に応じてインク量を削減するので、削減するインクの量を抑えることができる。
【００１５】
記録命令出力部は、画像有無判断部により被記録物の一方の面に記録する記録内容に画像が含まれ、被記録物の他方の面に記録する記録内容に画像が含まれていないと判断された場合に、画像が含まれていないと判断された記録内容を記録物のおもて面に記録すべき旨の記録命令を記録装置に出力してもよい。これにより、インクがより乾き難いページをうら面に印刷するので、印刷時間を短縮することができる。
【００１６】
記録命令出力部により出力されるインク削減率を高くする記録命令は、インクを吐出する数を記録装置に削減させる記録命令であってもよい。
【００１７】
記録命令出力部により出力されるインク削減率を高くする記録命令は、１度に吐出するインクの量を記録装置に削減させる記録命令であってもよい。
【００１８】
上記課題を解決するために、本発明の第２の形態においては、情報処理方法であって、インクにより記録内容を被記録物に記録する記録装置に記録命令を出力する記録命令出力手順と、被記録物の両面に記録内容を記録する旨の設定を受け付ける設定受付手順と、被記録物の複数ページに記録内容を記録すべき旨の要求を外部から受け付けた場合、設定受付手順により被記録物の両面に記録内容を記録する旨の設定が受け付けられているときに、被記録物のおもて面に記録する記録内容に画像が含まれているか否かを判断する画像有無判断手順と、画像有無判断手順により被記録物のおもて面に記録する記録内容に画像が含まれていると判断された場合に、被記録物のおもて面に記録する記録内容に含まれる画像の被記録物上の面積を算出する画像面積算出手順とを備え、記録命令出力手順は、画像面積算出手順により算出された面積が大きいほど、被記録物のおもて面における、記録内容から算出される被記録物に使用されるインクの量に対する削減すべきインクの量の比率であるインク削減率を高くする記録命令を記録装置に出力する。これにより、第１の形態と同一の効果を得ることができる。
【００１９】
上記課題を解決するために、本発明の第３の形態においては、情報処理装置を制御するプログラムであって、情報処理装置に、インクにより記録内容を被記録物に記録する記録装置に記録命令を出力する記録命令出力手順、被記録物の両面に記録内容を記録する旨の設定を受け付ける設定受付手順、被記録物の複数ページに記録内容を記録すべき旨の要求を外部から受け付けた場合、設定受付手順により被記録物の両面に記録内容を記録する旨の設定が受け付けられているときに、被記録物のおもて面に記録する記録内容に画像が含まれているか否かを判断する画像有無判断手順、および、画像有無判断手順により被記録物のおもて面に記録する記録内容に画像が含まれていると判断された場合に、被記録物のおもて面に記録する記録内容に含まれる画像の被記録物上の面積を算出する画像面積算出手順を実行させ、記録命令出力手順は、画像面積算出手順により算出された面積が大きいほど、被記録物のおもて面における、記録内容から算出される被記録物に使用されるインクの量に対する削減すべきインクの量の比率であるインク削減率を高くする記録命令を記録装置に出力する。これにより、第１の形態と同一の効果を得ることができる。
【００２０】
上記課題を解決するために、本発明の第４の形態においては、記録装置であって、インクにより記録内容を被記録物に記録する記録ヘッドを制御する記録ヘッド制御部に記録命令を出力する記録命令出力部と、被記録物の両面に記録内容を記録する旨の設定を受け付ける設定受付部と、被記録物の複数ページに記録内容を記録すべき旨の要求を外部から受け付けた場合、設定受付部により被記録物の両面に記録内容を記録する旨の設定が受け付けられているときに、被記録物のおもて面に記録する記録内容に画像が含まれているか否かを判断する画像有無判断部と、画像有無判断部により被記録物のおもて面に記録する記録内容に画像が含まれていると判断された場合に、被記録物のおもて面に記録する記録内容に含まれる画像の被記録物上の面積を算出する画像面積算出部とを備え、記録命令出力部は、画像面積算出部により算出された面積が大きいほど、被記録物のおもて面における、記録内容から算出される被記録物に使用されるインクの量に対する削減すべきインクの量の比率であるインク削減率を高くする記録命令を記録ヘッド制御部に出力する。これにより、第１の形態と同一の効果を得ることができる。
【００２１】
上記課題を解決するために、本発明の第５の形態においては、記録方法であって、インクにより記録内容を被記録物に記録する記録ヘッドを制御する記録ヘッド制御部に記録命令を出力する記録命令出力手順と、被記録物の両面に記録内容を記録する旨の設定を受け付ける設定受付手順と、被記録物の複数ページに記録内容を記録すべき旨の要求を外部から受け付けた場合、設定受付手順により被記録物の両面に記録内容を記録する旨の設定が受け付けられているときに、被記録物のおもて面に記録する記録内容に画像が含まれているか否かを判断する画像有無判断手順と、画像有無判断手順により被記録物のおもて面に記録する記録内容に画像が含まれていると判断された場合に、被記録物のおもて面に記録する記録内容に含まれる画像の被記録物上の面積を算出する画像面積算出手順とを備え、記録命令出力手順は、画像面積算出手順により算出された面積が大きいほど、被記録物のおもて面における、記録内容から算出される被記録物に使用されるインクの量に対する削減すべきインクの量の比率であるインク削減率を高くする記録命令を記録ヘッド制御部に出力する。これにより、第１の形態と同一の効果を得ることができる。
【００２２】
上記課題を解決するために、本発明の第６の形態においては、記録装置を制御するプログラムであって、記録装置に、インクにより記録内容を被記録物に記録する記録ヘッドを制御する記録ヘッド制御部に記録命令を出力する記録命令出力手順、被記録物の両面に記録内容を記録する旨の設定を受け付ける設定受付手順、被記録物の複数ページに記録内容を記録すべき旨の要求を外部から受け付けた場合、設定受付手順により被記録物の両面に記録内容を記録する旨の設定が受け付けられているときに、被記録物のおもて面に記録する記録内容に画像が含まれているか否かを判断する画像有無判断手順、および、画像有無判断手順により被記録物のおもて面に記録する記録内容に画像が含まれていると判断された場合に、被記録物のおもて面に記録する記録内容に含まれる画像の被記録物上の面積を算出する画像面積算出手順を実行させ、記録命令出力手順は、画像面積算出手順により算出された面積が大きいほど、被記録物のおもて面における、記録内容から算出される被記録物に使用されるインクの量に対する削減すべきインクの量の比率であるインク削減率を高くする記録命令を記録ヘッド制御部に出力する。これにより、第１の形態と同一の効果を得ることができる。
【００２３】
なお、上記の発明の概要は、本発明の必要な特徴の全てを列挙したものではなく、これらの特徴群のサブコンビネーションもまた、発明となりうる。
【発明を実施するための最良の形態】
【００２４】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【００２５】
図１は、パーソナルコンピュータ１０の一例を示す。パーソナルコンピュータ１０は、情報処理装置の一例であって、本体１２と、ユーザに対して本体１２からの出力に基づく表示をするディスプレイ１４と、ユーザから本体１２に対する入力手段の一例としてのキーボード１６及びマウス１８とを備える。パーソナルコンピュータ１０は、ネットワークを介してプリンタ２０と接続する。プリンタ２０は、記録装置の一例であって、記録用紙の両面に記録内容を記録する両面印刷機能を備える。プリンタ２０は、本体２２と、ユーザに対して本体２２からの出力に基づく表示をするディスプレイ２４と、ユーザから本体に対する入力手段の一例としての操作パネル２６を備える。
【００２６】
図２は、プリンタ２０の両面印刷機能を説明する概略図である。プリンタ２０は、まず、図２（ａ）に示すように、非図示のローラ制御部により紙送りローラ８２を回転させて記録用紙をＡ方向に搬送し、記録用紙の一の面（以下、「おもて面」という。）に、記録ヘッド８０からインクを吐出させることにより記録内容を記録する。次に、プリンタ２０は、図２（ｂ）に示すように、ローラ制御部により紙送りローラ８２を図２（ａ）と逆方向に回転させて記録用紙をＢ方向に搬送し、反転ローラ８４により記録用紙の表裏を反転させる。次に、プリンタ２０は、図２（ｃ）に示すように、ローラ制御部により紙送りローラ８２を図２（ａ）と同方向に回転させて記録用紙をＡ方向に搬送し、おもて面の裏の面（以下、「うら面」という。）に、記録ヘッド８０からインクを吐出させることにより記録内容を記録する。ここで、プリンタ２０のローラ制御部は、おもて面へ記録内容を記録した後、所定の時間（以下、「乾燥時間」という。）、記録用紙の搬送を止めることにより、記録用紙のおもて面に吐出したインクを乾燥させる。なお、プリンタ２０は、記録ヘッド８０を制御する非図示の記録ヘッド制御部を備え、この記録ヘッド制御部により記録ヘッド８０からインクを吐出させるヘッドショット数、または、１ヘッドショットに吐出させるインクの量を制御する。
【００２７】
図３は、パーソナルコンピュータ１０のブロック図の一例を示す。図４は、設定格納部１８０に格納される情報の一例を示す。図５は、基準値格納部１９０に格納される情報の一例を示す。パーソナルコンピュータ１０は、図３に示すように、設定受付部１００、画像有無判断部１１０、画像面積算出部１２０、画像位置取得部１３０、印刷デューティ算出部１４０、記録命令送信部１５０、設定格納部１８０および基準値格納部１９０を備える。
【００２８】
設定受付部１００は、ディスプレイ１４に、プリンタ２０における記録内容の記録用紙への記録に関する設定をユーザから受け付ける設定受付画面を表示する。設定受付部１００は、設定受付画面を介して記録内容の記録用紙への記録に関する設定をユーザから受け付ける。具体的には、設定受付部１００は、記録用紙の両面に記録内容を記録する両面印刷の設定、記録内容を記録する記録用紙の種類の選択の設定、記録内容を記録する解像度の選択の設定などを受け付ける。
【００２９】
設定格納部１８０は、設定受付部１００により受け付けられた設定を格納する。図４に示す例において、設定格納部１８０は、設定の項目を識別する設定項目ＩＤ「Ｓ１（印刷方法）」に対応付けて設定値「１（両面印刷）」、設定項目ＩＤ「Ｓ２（記録用紙）」に対応付けて設定値「１（普通紙）」、設定項目ＩＤ「Ｓ３（解像度）」に対応付けて設定値「１０８０」などを格納している。
【００３０】
画像有無判断部１１０は、プリンタ２０により記録用紙に記録される記録内容とともに、記録用紙に記録内容を記録すべき旨の要求をユーザから受け付ける。画像有無判断部１１０は、記録内容を受け付けた場合、受け付けた記録内容を記録命令送信部１５０に受け渡す。また、画像有無判断部１１０は、記録用紙の複数ページに記録内容を記録すべき旨の要求を受け付けた場合、設定格納部１８０に両面印刷の設定が格納されているか否かを判断する。画像有無判断部１１０は、設定格納部１８０に両面印刷の設定が格納されていると判断したときは、さらに、記録用紙のおもて面に記録する記録内容に画像が含まれているか否かを判断する。
【００３１】
画像面積算出部１２０は、画像有無判断部１１０により記録内容のおもて面に記録する記録内容に画像が含まれていると判断された場合に、記録用紙のおもて面に記録する記録内容に含まれる画像の当該記録用紙上の面積（以下、「画像面積」という。）を算出する。ここで、画像とは、文字コードにより特定されて記録されるテキストを含まない。
【００３２】
画像位置取得部１３０は、画像有無判断部１１０により記録内容のおもて面に記録する記録内容に画像が含まれていると判断された場合に、記録用紙のおもて面に記録する記録内容に含まれる画像の当該記録用紙上の位置（以下、「画像位置」という。）を取得する。具体的には、画像位置取得部１３０は、記録用紙の搬送方向の長さに対する、記録用紙の搬送方向における先端部から画像の重心までの搬送方向の長さの比率を取得する。
【００３３】
印刷デューティ算出部１４０は、画像有無判断部１１０により記録内容のおもて面に記録する記録内容に画像が含まれていると判断された場合に、記録用紙のおもて面に記録する記録内容に含まれる画像の印刷デューティを算出する。印刷デューティは、例えば、主走査位置および副走査位置のすべてにおいてインクを吐出する場合（いわゆる「ベタ塗り」）を１００％とし、全くインクを吐出しない場合を０％とする。
【００３４】
基準値格納部１９０は、記録内容から算出される記録用紙に吐出されるインクの量に対する削減すべきインクの量の比率（以下、「インク削減率」という。）、および、プリンタ２０の乾燥時間を取得する基準値を格納する。図５に示す例において、基準値格納部１９０は、例えば、基準値の種類を識別する基準値ＩＤ「Ｇ１（画像面積）」、基準値ＩＤ「Ｇ２（画像位置）」、基準値ＩＤ「Ｇ３（印刷デューティ）」、基準値ＩＤ「Ｓ２（記録用紙）」、および、基準値ＩＤ「Ｓ３（解像度）」のそれぞれに対応付けて基準値を格納する。ここで基準値格納部１９０は、図５に示す例において、記録用紙（基準値ＩＤ「Ｓ２」）の基準値として、基準値「１（普通紙）」、基準値「２（光沢紙）」）等を格納するが、インクがより乾き難い記録用紙ほど、インク削減率が大きく、長い乾燥時間を格納している。なお、基準値ＩＤ「Ｇｘ（ｘは任意）」は、記録内容から算出または取得される値に対応する基準値を識別するＩＤであり、基準値ＩＤ「Ｓｘ」は、設定格納部１８０に格納された設定値に対応する基準値を識別するＩＤである。
【００３５】
記録命令送信部１５０は、画像面積算出部１２０により算出された画像面積、および、基準値格納部１９０に格納された基準値に基づいて、インク削減率および乾燥時間を取得する。例えば、記録命令送信部１５０は、図５に示す基準値を格納する例において、画像面積算出部１２０により画像面積「１０００×１０００（ｄｏｔ）」が算出されたときは、基準値ＩＤ「Ｇ１（画像面積）」および基準値「５００×５００〜２０００×２０００ｄｏｔ」に対応付けて格納されたインク削減率「２０％」および乾燥時間「１０ｓ」を取得する。
【００３６】
また、記録命令送信部１５０は、画像面積に加えて、画像位置取得部１３０により取得された画像位置に基づいてインク削減率および乾燥時間を取得してもよい。例えば、記録命令送信部１５０は、図５に示す基準値を格納する例において、画像位置取得部１３０により画像位置「５０％」が取得されたときは、基準値ＩＤ「Ｇ２（画像位置）」および基準値「３３〜６６％」に対応付けて格納されたインク削減率「５％」および乾燥時間「１０ｓ」を取得する。
【００３７】
また、記録命令送信部１５０は、画像位置にかえてまたは加えて、印刷デューティ算出部１４０により算出された印刷デューティに基づいてインク削減率および乾燥時間を取得してもよい。例えば、記録命令送信部１５０は、図５に示す基準値を格納する例において、印刷デューティ算出部１４０により印刷デューティ「２０％」が取得されたときは、基準値ＩＤ「Ｇ３（印刷デューティ）」および基準値「０〜５０％」に対応付けて格納されたインク削減率「１０％」および乾燥時間「１０ｓ」を取得する。
【００３８】
また、記録命令送信部１５０は、画像位置または印刷デューティにかえてまたは加えて、設定格納部１８０に格納されている記録用紙の設定値に基づいてインク削減率および乾燥時間を取得してもよい。例えば、記録命令送信部１５０は、図５に示す基準値を格納する例において、設定格納部１８０の設定項目ＩＤ「Ｓ２（記録用紙）」に設定値「１（普通紙）」が格納されているときは、基準値ＩＤ「Ｓ２（記録用紙）」および基準値「１（普通紙）」に対応付けて格納されたインク削減率「１０％」および乾燥時間「５ｓ」を取得する。
【００３９】
また、記録命令送信部１５０は、画像位置、印刷デューティ、または、記録用紙の設定値にかえてまたは加えて、設定格納部１８０に格納されている解像度の設定値に基づいてインク削減率および乾燥時間を取得してもよい。例えば、記録命令送信部１５０は、図５に示す基準値を格納する例において、設定格納部１８０の設定項目ＩＤ「Ｓ３（解像度）」に設定値「１０８０ｄｐｉ」が格納されているときは、基準値ＩＤ「Ｓ３（解像度）」および基準値「７２０ｄｐｉ〜」に対応付けて格納されたインク削減率「５％」および乾燥時間「乗率１．１」を取得する。なお、記録命令送信部１５０は、乾燥時間「乗率１．１」を取得したときは、他の基準値に基づいて取得した乾燥時間を１．１倍する。
【００４０】
記録命令送信部１５０は、記録内容とともに、取得したインク削減率および乾燥時間を含む、記録内容を記録用紙に記録すべき記録命令をプリンタ２０に出力する。
【００４１】
なお、プリンタ２０は、記録内容とともにインク削減率を含む記録命令を受信した場合、ヘッドショット数をインク削減率に応じて削減し、記録内容を記録用紙に記録する。すなわちプリンタ２０は、まず、記録内容に基づいてヘッドショット数を算出し、算出したヘッドショット数からインク削減率分のヘッドショット数を削減した数により記録内容を記録用紙に記録する。また、プリンタ２０は、ヘッドショット数をインク削減率に応じて削減し記録内容を記録用紙に記録することにかえて、１ヘッドショットに吐出するインクの量をインク削減率に応じて削減し記録内容を記録用紙に記録してもよい。すなわちプリンタ２０は、まず、記録内容に基づいて１ヘッドショットに吐出するインクの量を算出し、算出した１ヘッドショットに吐出するインクの量からインク削減率分の１ヘッドショットに吐出するインクの量を削減したインクの量により記録内容を記録用紙に記録してもよい。なお、プリンタ２０は、記録内容とともに乾燥時間を含む記録命令を受信した場合には、おもて面へ記録内容を記録した後、その乾燥時間、記録用紙の搬送を止める。
【００４２】
このように、記録命令送信部１５０は、画像面積算出部１２０により算出された画像面積が大きいほど、記録用紙のおもて面のインク削減率を高くした記録命令をプリンタ２０に出力する。また、記録命令送信部１５０は、画像面積算出部１２０により算出された画像面積が大きいほど、乾燥時間を長くした記録命令としてプリンタ２０に出力する。したがって、インクが乾き難い、写真などの画像を記録用紙に記録する場合に、インク量を削減することができる。また、よりインクが乾き難い、画像の面積が大きい画像ほど、インク量を削減することができる。また、画像の面積が大きい画像ほど、より長い乾燥時間を確保することができる。
【００４３】
また、記録命令送信部１５０は、画像位置取得部１３０により取得された画像位置に基づいてインク削減率および乾燥時間を取得する場合には、画像位置取得部１３０により取得された画像位置がより後に記録される位置であるほど、記録用紙のおもて面のインク削減率を高くした記録命令をプリンタ２０に出力する。また、記録命令送信部１５０は、画像位置取得部１３０により取得された画像位置がより後に記録される位置であるほど、乾燥時間を長くした記録命令としてプリンタ２０に出力する。これにより、インクがより乾き難い、記録用紙のより下部に画像を記録するほど、よりインク量を削減することができる。また、記録用紙のより下部に画像を記録するほど、よりインク量を削減することができる。
【００４４】
また、記録命令送信部１５０は、印刷デューティ算出部１４０により算出された印刷デューティに基づいてインク削減率および乾燥時間を取得する場合には、印刷デューティ算出部１４０により算出された印刷デューティが大きいほど、記録用紙のおもて面のインク削減率を高くした記録命令をプリンタ２０に出力する。また記録命令送信部１５０は、印刷デューティ算出部１４０により算出された印刷デューティが大きいほど、乾燥時間を長くした記録命令としてプリンタ２０に出力する。これにより、インクがより乾き難い、より大きな印刷デューティの画像を記録するほど、よりインク量を削減することができる。また、より大きな印刷デューティの画像を記録するほど、より長い乾燥時間を確保することができる。
【００４５】
また、記録命令送信部１５０は、設定格納部１８０に格納されている記録用紙の設定値に基づいてインク削減率および乾燥時間を取得する場合には、設定格納部１８０に格納されている記録用紙の設定値、すなわち設定受付部１００により受け付けられている記録用紙の種類に応じて、異なる記録用紙のおもて面のインク削減率を指定した記録命令をプリンタ２０に出力する。また、記録命令送信部１５０は、設定受付部１００により受け付けられている記録用紙の種類に応じて、異なる乾燥時間を指定した記録命令としてプリンタ２０に出力する。これにより、インクがより乾き難い記録用紙に記録するほど、よりインク量を削減することができる。インクがより乾き難い記録用紙に記録するほど、より長い乾燥時間を確保することができる。
【００４６】
また、記録命令送信部１５０は、設定格納部１８０に格納されている解像度の設定値に基づいてインク削減率および乾燥時間を取得する場合には、設定格納部１８０に格納されている解像度、すなわち設定受付部１００により受け付けられている解像度がより高いほど、記録用紙のおもて面のインク削減率を高くした記録命令をプリンタ２０に出力する。また、記録命令送信部１５０は、設定受付部１００により受け付けられている解像度がより高いほど、乾燥時間を長くした記録命令としてプリンタ２０に出力する。これにより、インクがより乾き難い、より高い解像度により記録するほど、よりインク量を削減することができる。また、より高い解像度により記録するほど、より長い乾燥時間を確保することができる。
【００４７】
なお、画像有無判断部１１０は、記録用紙の複数ページに記録内容を記録すべき旨の要求を受け付けた場合、設定格納部１８０に両面印刷の設定が格納されていると判断したときは、記録用紙の一方の面に記録する記録内容、および、記録用紙の他方の面に記録する記録内容にそれぞれ画像が含まれているか否かを判断してもよい。
【００４８】
画像有無判断部１１０が記録用紙の一方の面に記録する記録内容、および、記録用紙の他方の面に記録する記録内容のそれぞれに画像が含まれていると判断した場合、まず、画像面積算出部１２０は、それぞれの面に記録する記録内容に含まれるそれぞれの画像の記録用紙上の面積を算出する。記録命令送信部１５０は、画像面積算出部１２０により算出された画像面積がより小さい画像を含む記録内容を記録用紙のおもて面に記録すべき旨の記録命令、および、おもて面に記録すべき記録内容に含まれる画像の画像面積がより大きいほど、記録用紙のおもて面のインク削減率を高くした記録命令をプリンタ２０に出力する。
【００４９】
一方、画像有無判断部１１０が記録用紙の一方の面に記録する記録内容に画像が含まれ、記録用紙の他方の面に記録する記録内容に画像が含まれていないと判断した場合には、記録命令送信部１５０は、画像が含まれていないと判断された記録内容を記録用紙のおもて面に記録すべき旨の記録命令をプリンタ２０に出力する。これにより、インクがより乾き難いページを選択し、選択したページにおいて画像の面積に応じてインク量を削減するので、削減するインクの量を抑えることができる。
【００５０】
記憶媒体７０は、設定受付部１００、画像有無判断部１１０、画像面積算出部１２０、画像位置取得部１３０、印刷デューティ算出部１４０、記録命令送信部１５０、設定格納部１８０および基準値格納部１９０の動作を行わせるプログラムを記憶する。パーソナルコンピュータ１０は、記憶媒体７０に記憶された上記プログラムをインストールすることにより、画像面積算出部１２０等の動作を行わせてもよい。さらに、他の方法として、パーソナルコンピュータ１０は、そのようなプログラムを、ネットワークを介して取得してもよい。
【００５１】
図６は、パーソナルコンピュータ１０の動作の一例を示すフローチャートである。図７、図８は、記録内容等を模式的に示す。図６に示すフローチャートは、画像有無判断部１１０が記録内容とともに記録用紙の複数ページに記録内容を記録すべき旨の要求を受け付けることにより開始する。なお説明上、画像有無判断部１１０は、図７（ａ）に示す、画像ａを含むページＡが１ページ目であり、画像ｂおよび画像ｃを含むページＢが２ページ目である記録内容を受け付けたものとする。なお、画像ａ、画像ｂ、画像ｃの画像面積、画像位置および印刷デューティは、図７（ｂ）に示す通りとする。また説明上、本フローチャートの開始時において、設定格納部１８０は図４に示す情報を、基準値格納部１９０は図５に示す情報を格納しているものとする。
【００５２】
まず、画像有無判断部１１０は、図７（ａ）に示す記録内容を記録命令送信部１５０に受け渡す。次に、画像有無判断部１１０は、記録用紙の複数ページに記録内容を記録すべき旨の要求であり、かつ、設定格納部１８０に両面印刷の設定が格納されているか否かを判断する（Ｓ１００）。
【００５３】
ステップＳ１００において、画像有無判断部１１０は記録用紙の複数ページに記録内容を記録すべき旨の要求であり、かつ、設定格納部１８０に両面印刷の設定が格納されていると判断した場合には（Ｓ１００：Ｙｅｓ）、１ページ目であるページＡに画像が含まれているか否かを判断する（Ｓ１１０）。
【００５４】
ステップＳ１１０において、画像有無判断部１１０は１ページ目であるページＡに画像が含まれていると判断した場合には（Ｓ１１０：Ｙｅｓ）、２ページ目であるページＢに画像が含まれているか否かを判断する（Ｓ１２０）。
【００５５】
ステップＳ１２０において、画像有無判断部１１０は２ページ目であるページＢに画像が含まれていると判断した場合には（Ｓ１２０：Ｙｅｓ）、１ページ目および２ページ目に画像が含まれている旨を画像面積算出部１２０に通知する。
【００５６】
通知を受けた画像面積算出部１２０は、１ページ目であるページＡおよび２ページ目であるページＢに含まれる画像の画像面積をそれぞれ算出する（Ｓ１３０）。すなわち画像面積算出部１２０は、１ページ目であるページＡに含まれる画像ａの画像面積「９万ｄｏｔ」を算出し、２ページ目であるページＢに含まれる画像ｂの画像面積「３５万ｄｏｔ」、および、画像ｃの画像面積「１２万ｄｏｔ」を算出する。
【００５７】
画像面積算出部１２０は、１ページ目であるページＡに含まれる画像の画像面積が２ページ目であるページＢに含まれる画像の画像面積よりも小さいか否かを判断する（Ｓ１４０）。ここで、画像面積算出部１２０は、一のページに複数の画像が含まれるときは、当該ページに含まれる画像のうち画像面積が最大の一の画像により、上記判断をする。すなわち画像面積算出部１２０は、１ページ目であるページＡに含まれる画像ａの画像面積「９万ｄｏｔ」が２ページ目であるページＢに含まれる画像ｂの画像面積「３５万ｄｏｔ」よりも小さいか否かを判断する（Ｓ１４０）。
【００５８】
ステップＳ１４０において、画像面積算出部１２０は、１ページ目であるページＡに含まれる画像ａの画像面積「９万ｄｏｔ」が２ページ目であるページＢに含まれる画像ｂの画像面積「３５万ｄｏｔ」よりも小さいと判断した場合には（Ｓ１４０：Ｙｅｓ）、１ページ目であるページＡに含まれる画像ａの画像面積が２ページ目であるページＢに含まれる画像ｂの画像面積よりも小さい旨を画像位置取得部１３０および印刷デューティ算出部１４０に通知するとともに、その旨、および、１ページ目であるページＡに含まれる画像ａの画像面積「９万ｄｏｔ」を記録命令送信部１５０に通知する。
【００５９】
画像位置取得部１３０は、１ページ目であるページＡに含まれる画像ａの画像面積が２ページ目であるページＢに含まれる画像ｂの画像面積よりも小さい旨の通知を受けた場合、１ページ目であるページＡに含まれる画像ａの画像位置「７５％」を取得する（Ｓ２００）。画像位置取得部１３０は、取得した画像位置「７５％」を記録命令送信部１５０に受け渡す。
【００６０】
印刷デューティ算出部１４０は、１ページ目であるページＡに含まれる画像ａの画像面積が２ページ目であるページＢに含まれる画像ｂの画像面積よりも小さい旨の通知を受けた場合、１ページ目であるページＡに含まれる画像ａの印刷デューティ「２０％」を算出する（Ｓ２１０）。印刷デューティ算出部１４０は、算出した印刷デューティ「２０％」を記録命令送信部１５０に受け渡す。
【００６１】
記録命令送信部１５０は、設定格納部１８０に格納されている記録用紙の設定値「１（普通紙）」、および、解像度の設定値「１０８０ｄｐｉ」を取得する（Ｓ２３０）。
【００６２】
記録命令送信部１５０は、画像面積算出部１２０から取得した画像面積「９万ｄｏｔ」、画像位置取得部１３０から取得した画像位置「７５％」、印刷デューティ算出部１４０から取得した印刷デューティ「２０％」、記録用紙の設定値「１（普通紙）」、解像度の設定値「１０８０ｄｐｉ」、および、基準値格納部１９０に格納された基準値に基づいてインク削減率を取得する（Ｓ２４０）。ここで、記録命令送信部１５０は、画像面積「９万ｄｏｔ」、画像位置「７５％」、印刷デューティ「２０％」、記録用紙の設定値「１（普通紙）」、解像度の設定値「１０８０ｄｐｉ」のそれぞれと基準値とから取得するインク削減率のうち最大のインク削減率を選択する。すなわち、記録命令送信部１５０は、画像面積「９万ｄｏｔ」と基準値とから取得するインク削減率「０％」、画像位置「７５％」と基準値とから取得するインク削減率「１０％」、印刷デューティ「２０％」と基準値とから取得するインク削減率「１０％」、記録用紙の設定値「１（普通紙）」と基準値とから取得するインク削減率「１０％」、解像度の設定値「１０８０ｄｐｉ」と基準値とから取得するインク削減率「５％」のうち最大のインク削減率「１０％」を選択する。なお、記録命令送信部１５０は、最大のインク削減率を選択することに代えて、それらのインク削減率の平均を算出してもよい。
【００６３】
記録命令送信部１５０は、画像面積「９万ｄｏｔ」、画像位置「７５％」、印刷デューティ「２０％」、記録用紙の設定値「１（普通紙）」、解像度の設定値「１０８０ｄｐｉ」、および、基準値に基づいて乾燥時間を取得する（Ｓ２５０）。具体的には、記録命令送信部１５０は、画像面積「９万ｄｏｔ」と基準値とから取得する乾燥時間「０ｓ」、画像位置「７５％」と基準値とから取得する乾燥時間「１５ｓ」、印刷デューティ「２０％」と基準値とから取得する乾燥時間「５ｓ」、記録用紙の設定値「１（普通紙）」と基準値とから取得する乾燥時間「５ｓ」のうち最大の乾燥時間「１５ｓ」に、解像度の設定値「１０８０ｄｐｉ」と基準値とから取得する乗率「１．１」を掛けた乾燥時間「１６．５ｓ」を取得する。
【００６４】
記録命令送信部１５０は、画像有無判断部１１０から取得した図７（ａ）に示す記録内容とともに、ステップＳ２４０において取得したインク削減率「１０％」およびステップＳ２５０において取得した乾燥時間「１６．５ｓ」を含む、この記録内容を記録用紙に記録すべき記録命令をプリンタ２０に出力する（Ｓ２７０）。そして本フローチャートは終了する。
【００６５】
一方、ステップＳ１００において、画像有無判断部１１０は記録用紙の複数ページに記録内容を記録すべき旨の要求でないと判断した場合、もしくは、設定格納部１８０に両面印刷の設定が格納されていないと判断した場合には（Ｓ１００：Ｎｏ）、または、ステップＳ１１０において、画像有無判断部１１０は１ページ目に画像が含まれていないと判断した場合には（Ｓ１１０：Ｎｏ）、記録命令送信部１５０は、画像有無判断部１１０から取得した記録内容とともに、その記録内容を記録用紙に記録すべき記録命令をプリンタ２０に出力する（Ｓ２７２）。そして本フローチャートは終了する。
【００６６】
一方、ステップＳ１２０において、画像有無判断部１１０は２ページ目に画像が含まれていないと判断した場合には（Ｓ１２０：Ｎｏ）、記録命令送信部１５０は、画像有無判断部１１０から取得した記録内容とともに、２ページ目を記録用紙のおもて面に記録すべきページ入替情報を含む、その記録内容を記録用紙に記録すべき記録命令をプリンタ２０に出力する（Ｓ２７７）。そして本フローチャートは終了する。これにより、インクがより乾き難いページをうら面に印刷するので、印刷時間を短縮することができる。
【００６７】
ステップＳ１４０において、画像面積算出部１２０は、１ページ目に含まれる画像の画像面積が２ページ目に含まれる画像の画像面積よりも小さくないと判断した場合（Ｓ１４０：Ｎｏ）、例えば、画像有無判断部１１０が、図８に示す、画像ｂおよび画像ｃを含むページＢが１ページ目であり、画像ａを含むページＡが１ページ目である記録内容を受け付けた場合（画像ａ、ｂ、ｃは、図７（ａ）と同一）、２ページ目であるページＡに含まれる画像ａの画像面積が１ページ目であるページＢに含まれる画像ｂの画像面積よりも小さい旨を画像位置取得部１３０および印刷デューティ算出部１４０に通知するとともに、その旨、および、２ページ目であるページＡに含まれる画像ａの画像面積「９万ｄｏｔ」を記録命令送信部１５０に通知する。
【００６８】
画像位置取得部１３０は、２ページ目であるページＡに含まれる画像ａの画像面積が１ページ目であるページＢに含まれる画像ｂの画像面積よりも小さい旨の通知を受けた場合、２ページ目であるページＡに含まれる画像ａの画像位置「７５％」を取得する（Ｓ２０５）。画像位置取得部１３０は、取得した画像位置「７５％」を記録命令送信部１５０に受け渡す。
【００６９】
印刷デューティ算出部１４０は、２ページ目であるページＡに含まれる画像ａの画像面積が１ページ目であるページＢに含まれる画像ｂの画像面積よりも小さい旨の通知を受けた場合、２ページ目であるページＡに含まれる画像ａの印刷デューティ「２０％」を算出する（Ｓ２１５）。印刷デューティ算出部１４０は、算出した印刷デューティ「２０％」を記録命令送信部１５０に受け渡す。
【００７０】
記録命令送信部１５０は、ステップＳ２３０と同様に、設定格納部１８０に格納されている記録用紙の設定値「１（普通紙）」、および、解像度の設定値「１０８０ｄｐｉ」を取得する（Ｓ２３５）。
【００７１】
記録命令送信部１５０は、ステップＳ２４０と同様に、取得した画像面積「９万ｄｏｔ」、画像位置「７５％」、印刷デューティ「２０％」、記録用紙の設定値「１（普通紙）」、解像度の設定値「１０８０ｄｐｉ」、および、基準値格納部１９０に格納された基準値に基づいてインク削減率「１０％」を取得する（Ｓ２４５）。また、ステップＳ２５０と同様に、これらに基づいて乾燥時間「１６．５ｓ」を取得する（Ｓ２５５）。
【００７２】
記録命令送信部１５０は、画像有無判断部１１０から取得した図８に示す記録内容とともに、２ページ目を記録用紙のおもて面に記録すべきページ入替情報、ステップＳ２４５において取得したインク削減率「１０％」およびステップＳ２５５において取得した乾燥時間「１６．５ｓ」を含む、この記録内容を記録用紙に記録すべき記録命令をプリンタ２０に出力する（Ｓ２７５）。そして本フローチャートは終了する。
【００７３】
なお、ステップＳ１４０において、画像面積算出部１２０は、１ページ目に含まれる画像の画像面積が２ページ目に含まれる画像の画像面積よりも小さいか否かを判断する場合に、一のページに複数の画像が含まれるときは、当該ページに含まれる画像のうち画像面積が最大の一の画像の画像面積により上記判断をしたが、一のページに複数の画像が含まれるときは、当該ページに含まれる画像の全ての画像面積の総和により上記判断をしてもよい。
【００７４】
なお、本フローチャートにおいて、記録命令送信部１５０は、画像面積、画像位置、刷デューティ、記録用紙の設定値、解像度の設定値、および、基準値に基づいてインク削減率および乾燥時間を取得したが（Ｓ２４０、Ｓ２５０）、画像面積と基準値とに基づいてインク削減率および乾燥時間を取得してもよいし、画像位置、印刷デューティ、記録用紙の設定値または解像度の設定値のうち１乃至３つと画像面積と基準値とに基づいてインク削減率および乾燥時間を取得してもよい。
【００７５】
なお、本フローチャートにおいて、ステップＳ１２０およびＳ１４０を省略してもよい。すなわちステップＳ１１０において、画像有無判断部１１０は１ページ目に画像が含まれていると判断した場合には（Ｓ１１０：Ｙｅｓ）、画像有無判断部１１０は、１ページ目に画像が含まれている旨を画像面積算出部、画像位置取得部１３０および印刷デューティ算出部１４０に通知する。通知を受けた画像面積算出部１２０は、１ページ目に含まれる画像の画像面積を算出する（Ｓ１３０）。画像面積算出部１２０は、算出した１ページ目に含まれる画像の画像面積を記録命令送信部１５０に通知する。通知を受けた画像位置取得部１３０は、１ページ目に含まれる画像の画像位置を取得し（Ｓ２００）、取得した画像位置を記録命令送信部１５０に受け渡す。また通知を受けた印刷デューティ算出部１４０は、１ページ目に含まれる画像の印刷デューティを算出し（Ｓ２１０）、算出した印刷デューティを記録命令送信部１５０に受け渡す。
【００７６】
以上、本実施例によれば、インクが乾き難い、写真などの画像を記録用紙に記録する場合に、インク量を削減することができる。また、よりインクが乾き難い、面積が大きい画像ほど、インク量を削減することができる。
【００７７】
なお、本実施例において、画像位置取得部１３０は、記録用紙の搬送方向の長さに対する、記録用紙の搬送方向における先端部から画像の重心までの搬送方向の長さの比率を取得するが、これに限定されない。一例として、画像位置取得部１３０は、記録用紙の搬送方向の長さに対する、記録用紙の搬送方向における先端部から画像の下端までの搬送方向の長さの比率を取得してもよい。また、画像位置取得部１３０は、上記比率を取得することにかえて、記録用紙の搬送方向における画像の下端から記録用紙の下端までの長さを取得してもよい。なお、この場合、基準値格納部１９０は、画像位置取得部１３０により取得される項目に対応する基準値を格納する。
【００７８】
また、本実施例において、記録命令送信部１５０は、プリンタ２０がおもて面へ記録内容を記録した後、記録用紙の搬送を止める時間である乾燥時間を取得するが、これにかえて、プリンタ２０が記録内容から算出する乾燥時間に対し加算すべき乾燥時間である追加乾燥時間を取得してもよい。なお、プリンタ２０は、記録内容とともに加算乾燥時間を含む記録命令を受信した場合には、まず、記録内容に基づいて乾燥時間を算出し、算出した乾燥時間に加算乾燥時間を加算した時間、記録用紙の搬送を止める。
【００７９】
また、本実施例において、基準値格納部１９０により格納されるインク削減率、および、記録命令送信部１５０により出力されるインク削減率は、記録用紙のおもて面に記録される、画像を含む記録内容から算出される記録用紙の全体に吐出されるインクの量に対する、記録用紙の全体に吐出されるインクの削減すべき量の比率であるが、これにかえて、記録用紙のおもて面に記録される、記録内容に含まれる画像から算出される画像に吐出されるインクの量に対する、画像に吐出されるインクの削減すべき量の比率であってもよい。
【００８０】
また、本実施例において、パーソナルコンピュータ１０は、設定受付部１００、画像有無判断部１１０、画像面積算出部１２０、画像位置取得部１３０、印刷デューティ算出部１４０、記録命令送信部１５０、設定格納部１８０および基準値格納部１９０を備えるが、他の形態として、プリンタ２０が、設定受付部、画像有無判断部、画像面積算出部、画像位置取得部、印刷デューティ算出部、記録命令送信部、設定格納部および基準値格納部を備えてもよい。この場合には、プリンタ２０の記録命令送信部は、インク削減量および乾燥時間を基準値格納部から取得し、取得したインク削減量および乾燥時間を記録ヘッド制御部およびローラ制御部に出力する。
【００８１】
また、さらに他の形態として、パーソナルコンピュータ１０が設定受付部１００、設定格納部１８０および記録命令送信部を備え、プリンタ２０が画像有無判断部、画像面積算出部、画像位置取得部、印刷デューティ算出部、基準値格納部および記録命令送信部を備えてもよい。この場合、パーソナルコンピュータ１０の記録命令送信部は、記録内容とともに、設定格納部１８０に格納された設定値を含む、この記録内容を記録用紙に記録すべき記録命令をプリンタ２０に出力する。一方、記録内容および記録命令を取得したプリンタ２０の画像有無判断部は画像の有無を判断し、画像面積算出部は画像面積を算出し、画像位置取得部は画像位置を取得し、印刷デューティ算出部は印刷デューティを算出し、記録命令送信部は、インク削減量および乾燥時間を基準値格納部から取得し、取得したインク削減量および乾燥時間を記録ヘッド制御部およびローラ制御部に出力する。
【００８２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００８３】
【図１】パーソナルコンピュータ１０の一例を示す。
【図２】プリンタ２０の両面印刷機能を説明する概略図である。
【図３】パーソナルコンピュータ１０のブロック図の一例を示す。
【図４】設定格納部１８０に格納される情報の一例を示す。
【図５】基準値格納部１９０に格納される情報の一例を示す。
【図６】パーソナルコンピュータ１０の動作の一例を示すフローチャートである。
【図７】記録内容等を模式的に示す。
【図８】記録内容等を模式的に示す。
【符号の説明】
【００８４】
１０  パーソナルコンピュータ、１２  本体、１４  ディスプレイ、１６  キーボード、１８  マウス、２０  プリンタ、２２  本体、２４  ディスプレイ、２６  操作パネル、７０  記憶媒体、８０  記録ヘッド、８２  紙送りローラ、８４  反転ローラ、１００  設定受付部、１１０  画像有無判断部、１２０  画像面積算出部、１３０  画像位置取得部、１４０  印刷デューティ算出部、１５０  記録命令送信部、１８０  設定格納部、１９０  基準値格納部
【図１】
2008123369.tif 000003
【図２】
2008123369.tif 000004
【図３】
2008123369.tif 000005
【図４】
2008123369.tif 000006
【図５】
2008123369.tif 000007
【図６】
2008123369.tif 000008
【図７】
2008123369.tif 000009
【図８】
2008123369.tif 000010